(57)【要約】【課題】貯水池の機能を損なうことなく該貯水池を各種施設の設置場所として有効に活用することができる貯水池の活用方法を提供すること。【解決手段】本発明に係る貯水池の活用方法は、貯水池１内の全体に複数のブロック体３を間に隙間を形成しつつ当該貯水池１の上面まで積み重ね、該貯水池１の上面をその周囲の地面に繋げて平地とし、該平地の上に避難施設７を含む各種施設を設置することを特徴とする。本発明によれば、従来活用されていなかった貯水池１の上面部分をその周囲の地面と繋げて平地とし、この平地の上に避難施設７を含む各種施設を設置するようにしたため、該貯水池１を各種施設の設置場所として有効に活用することができる。この場合、貯水池１内の全体が複数のブロック体３によって完全に埋められる訳ではなく、ブロック体３の間には隙間が形成されるため、貯水池１の本来の機能が損なわれることがない。【選択図】図６
2018123591.tif 000002
【特許請求の範囲】
【請求項１】
貯水池内の全体に複数のブロック体を間に隙間を形成しつつ当該貯水池の上面まで積み重ね、該貯水池の上面をその周囲の地面に繋げて平地とし、該平地の上に避難施設を含む各種施設を設置することを特徴とする貯水池の活用方法。
【発明の詳細な説明】
【技術分野】
【０００１】
本発明は、溜め池や調整池等の貯水池の活用方法に関するものである。
【背景技術】
【０００２】
溜め池や調整池等の貯水池は、日本全国に数多く存在している。ここで、溜め池とは、降水量が少なくて流域の大きな河川に恵まれない地域等において、農業用水を確保するために水を蓄えて取水ができるように人工的に造成された池である。又、調整池とは、水力発電所や浄水場等において水量を調整するためのものであって、集中豪雨等の局地的な出水によって河川の流下能力を超過する可能性のある洪水を河川に入る前に一時的に溜める池である。
【０００３】
ところが、溜め池や調整池等の貯水池は、開放状態にあるため、危険、臭い、汚い等の問題を有している。
【０００４】
調整池に関して、特許文献１には、従来の調整池を単なる雨水の一時貯留のためのものだけでなく、周辺住民のために快適水辺領域とする手段として、調整池の底面に、プラスチック成形体を縦横に組み立てた構築物を設置し、その構築物の上部に階段状に土盛りし、階段の下方に水面の一部を露出させる構成が提案されている。
【０００５】
又、特許文献２には、調整池や遊水池等の上面を恒久的に利用することができる方法が提案されている。この方法とは、比重が１以下の浮遊性の人工地盤を調整池或いは遊水池の上面に設け、この人工地盤を調整池等の水面の上昇／下降に追従させるものである。
【先行技術文献】
【特許文献】
【０００６】
【特許文献１】特開２００２−２０６２７０号公報
【特許文献２】特開２００４−３２４１２７号公報
【発明の概要】
【発明が解決しようとする課題】
【０００７】
しかしながら、特許文献１において提案された調整池においても、その上面が開放されているため、前記従来の問題を解決することができない。
【０００８】
又、特許文献２において提案された方法では、調整池等の上面の一部又は全部が人工地盤によって覆われるため、前記問題の一部は解決されるが、水面に浮遊する人工地盤の上に高重量の各種施設を設置することは不可能であり、調整池等の上面の広い面積を有効に活用することができないという問題がある。
【０００９】
本発明は上記問題に鑑みてなされたもので、その目的とする処は、貯水池の機能を損なうことなく該貯水池を各種施設の設置場所として有効に活用することができる貯水池の活用方法を提供することにある。
【課題を解決するための手段】
【００１０】
上記目的を達成するため、本発明に係る貯水池の活用方法は、貯水池内の全体に複数のブロック体を間に隙間を形成しつつ当該貯水池の上面まで積み重ね、該貯水池の上面をその周囲の地面に繋げて平地とし、該平地の上に避難施設を含む各種施設を設置することを特徴とする。
【発明の効果】
【００１１】
本発明によれば、従来活用されていなかった貯水池の上面部分をその周囲の地面と繋げて平地とし、この平地の上に避難施設を含む各種施設を設置するようにしたため、該貯水池を各種施設の設置場所として有効に活用することができるとともに、貯水池の上面が開放されないために危険、臭い、汚い等の環境問題が解決される。そして、この場合、貯水池内の全体が複数のブロック体によって完全に埋められる訳ではなく、ブロック体の間には隙間が形成され、この隙間に水が貯留されるため、貯水池の水を貯留するという本来の機能が損なわれることがない。
【図面の簡単な説明】
【００１２】
【図１】貯水池の断面図である。
【図２】本発明に係る方法において貯水池の内部にブロック体を積み重ねている様子を示す断面図である。
【図３】本発明に係る方法において貯水池の内部全体にブロック体が積み重ねられた状態を示す断面図である。
【図４】本発明に係る方法において貯水池の上面を周囲の土地と繋げた状態を示す断面図である。
【図５】本発明に係る方法において貯水池の上面と周囲の土地を繋げて造成された平地の本発明に係る方法において貯水池の内部にブロック体を積み重ねている様子を示す断面図である。
【図６】本発明に係る方法において貯水池の上方に各種施設を設置した状態を示す断面図である。
【図７】ブロック体の平面図である。
【図８】ブロック体の側面図である。
【図９】複数のブロック体を積み重ねた状態を示す部分側面図である。
【発明を実施するための形態】
【００１３】
以下に本発明の実施の形態を添付図面に基づいて説明する。
【００１４】
図１は貯水池の断面図、図２〜図６は本発明方法をその工程順に示す断面図であり、図１に示す貯水池１は、逆台形状の横断面を有し、これには水が貯留されている。
【００１５】
而して、本発明方法においては、先ず、図１に示す貯水池１から排水ポンプ等を用いて水を排出し、図２に示すように、水が排出された貯水池１の底面と両側面に砕石２を敷設する。尚、砕石２の敷設に代えてコンクリートを打設ても良い。
【００１６】
次に、図２に示すように、貯水池１の砕石２が敷設された底面上に複数のブロック体３を積み重ねる。ここで、ブロック体３の構成とその積み重ね方法を図７〜図９に基づいて以下に説明する。
【００１７】
即ち、図７はブロック体の平面図、図８は同ブロック体の側面図、図９は複数のブロック体を積み重ねた状態を示す部分側面図であり、図示のブロック体３は、樹脂によって一体成形されており、正方形板状のベース３Ａの四隅から支柱３Ｂを一体に立設して構成されている。ここで、図７に示すように、各支柱３Ａの頂面の対角線上には、垂直に突出する各２つの位置決めピン４と円孔状の各２つの係合孔５がそれぞれ形成されている。
【００１８】
而して、ブロック体３は、図９に示すように、上下を逆にして積み重ねられる。即ち、支柱３Ｂを上にして配置されたブロック体３の上に、別のブロック体３を角度９０°だけ回転させた状態で支柱３Ｂが下となるようにして積み重ねる。すると、一方（下側）のブロック体３に立設された各支柱３Ｂの頂面にそれぞれ突出する各２つの位置決めピン４が他方（上側）のブロック体３の各支柱３Ｂの頂面に形成された各２つの係合孔５にそれぞれ係合するため、上下２つのブロック体３が正確に位置決めされた状態で積み重ねられるとともに、両者のガタツキが防がれる。
【００１９】
以上のようにして、図３に示すように、貯水池１内の全体に複数のブロック体３を間に隙間を形成しつつ当該貯水池１の上面まで積み重ねる。この状態では、貯水池１の内部はブロック体３によって完全に埋められる訳ではなく、隣接するブロック体３の間には隙間が形成されているため（図９参照）、貯水池１の内部に従来と同様に水を貯留することができ、該貯水池１の本来の機能が損なわれることがない。
【００２０】
図３に示すように、貯水池１の内部の全体に複数のブロック体３が当該貯水池１の上面まで積み重ねられると、図４に示すように、貯水池１の上面をその周囲の地面に繋げて平地とし、この平地にコンクリート６を打設する。
【００２１】
上述のように、貯水池１の上面がその周囲の地面に繋げられてて平地とされ、この平地にコンクリート６が打設されると、図５に示すように、コンクリート６の上に避難施設７や鶏や豚等の家畜の飼育施設８が設置される。
【００２２】
次に、図６に示すように、避難施設７や家畜の飼育施設８の上面を整地し、この場所に例えば植物工場９を設置するとともに、その両側に植栽したり、ポケット公園（菜園）１０、駐車場１１、芝生のドッグラン１２等の各種施設を設置する。尚、植物工場９においては、家畜の飼育施設８において生成される排泄物が植物の肥料として利用される。又、植物工場９において植物による光合成によって生成された酸素は、家畜の飼育施設８において飼育されている家畜に供給される。
【００２３】
以上のように、本発明方法によれば、従来活用されていなかった貯水池１の上面部分をその周囲の地面と繋げて平地とし、この平地に打設されたコンクリート６の上に避難施設７や家畜の飼育施設８を設置し、更にこれらの上に植物工場９、ポケット公園（菜園）１０、駐車場１１、ドッグラン１２等の各種施設を設置するようにしたため、該貯水池１を各種施設の設置場所として有効に活用することができるとともに、貯水池１の上面が開放されないために危険、臭い、汚い等の環境問題が解決される。そして、この場合、貯水池１内の全体が複数のブロック体３によって完全に埋められる訳ではなく、複数のブロック体３の間には隙間が形成され（図９参照）、この隙間に水が貯留されるため、貯水池１の水を貯留するという本来の機能が損なわれることがない。
【００２４】
尚、以上の実施の形態において貯水池の上面を含む面積部分に設置される各種施設は一例であって、その他の任意の各種施設を設置することができることは勿論である。
【符号の説明】
【００２５】
１        貯水池
２        砕石
３        ブロック体
３Ａ      ブロック体のベース
３Ｂ      ブロック体の支柱
４        ブロック体の位置決めピン
５        ブロック体の係合孔
６        コンクリート
７        避難施設
８        家畜の飼育施設
９        植物工場
１０      ポケット公園（菜園）
１１      駐車場
１２      ドッグラン
【図１】
2018123591.tif 000003
【図２】
2018123591.tif 000004
【図３】
2018123591.tif 000005
【図４】
2018123591.tif 000006
【図５】
2018123591.tif 000007
【図６】
2018123591.tif 000008
【図７】
2018123591.tif 000009
【図８】
2018123591.tif 000010
【図９】
2018123591.tif 000011